(57)【要約】【課題】認証に有効な画像を安価に、しかも迅速に効率良く撮像することができる生体情報取得装置を提供する。【解決手段】被検体に光を照射する照射部１００と、一列以上の画素列を有する撮像部２００と、撮像部２００を画素列と交差する方向に往復可能とする駆動部３００と、を備える生体情報取得装置である。この生体情報取得装置１は、さらに撮像部２００が撮像した画像を、予め設定されている条件に従って評価する評価部４０２と、評価部４０２の評価結果に基づいて、次回に被検体を撮像する際の被検体に対する光の照射条件又は撮像部による被検体の撮像条件を制御する制御部４０３と、を備える。【選択図】図３
2009271808.tif 000002
【特許請求の範囲】
【請求項１】
被検体に光を照射する照射部と、
一列以上の画素列を有する撮像部と、
前記撮像部を、前記画素列と交差する方向に往復可能とする駆動部と、
を備える生体情報取得装置であって、
前記撮像部が撮像した画像を、予め設定されている条件に従って評価する評価部と、
前記評価部の評価結果に基づいて、次回に前記被検体を撮像する際の前記被検体に対する光の照射条件又は前記撮像部による前記被検体の撮像条件を制御する制御部と、
を備える生体情報取得装置。
【請求項２】
前記制御部は、前記撮像部が往路で撮像した画像の評価結果に基づいて、前記撮像部の復路における前記照射条件又は前記撮像条件を制御することを特徴とする請求項１に記載の生体情報取得装置。
【請求項３】
前記制御部は、前記照射条件として前記照射部から前記被検体に対して出射される光の光量を制御することを特徴とする請求項１又は２に記載の生体情報取得装置。
【請求項４】
前記制御部は、前記撮像条件として前記画素列の画素からの信号の増幅率を制御することを特徴とする請求項１乃至３のいずれか１項に記載の生体情報取得装置。
【請求項５】
前記制御部は、前記撮像条件として前記撮像部による画像の撮像期間を制御することを特徴とする請求項１乃至４のいずれか１項に記載の生体情報取得装置。
【請求項６】
前記撮像部上に調光部を備えており、
前記制御部は、前記撮像条件として前記調光部の光透過量を電気的に制御することを特徴とする請求項１乃至５のいずれか１項に記載の生体情報取得装置。
【請求項７】
請求項１乃至６のいずれか１項に記載の生体情報取得装置を備える電子機器。
【請求項８】
被検体に光を照射して前記被検体の生体情報を取得する方法であって、
一列以上の画素列を有する撮像部を、駆動部によって前記画素列と交差する方向に移動させて画像を撮像し、
評価部は、前記撮像部が撮像した画像を評価し、
制御部は、前記評価部の評価結果に基づいて、次回に前記被検体を撮像する際の前記被検体に対する光の照射条件又は前記撮像部による前記被検体の撮像条件を制御し、
前記撮像部を、駆動部によって前記画素列と交差する方向に移動させて、前記制御された照射条件又は撮像条件で画像を撮像する生体情報取得方法。
【請求項９】
前記制御部は、前記撮像部が往路で撮像した画像の評価結果に基づいて、前記撮像部の復路における前記照射条件又は前記撮像条件を制御することを特徴とする請求項８に記載の生体情報取得方法。
【請求項１０】
前記制御部は、前記照射条件として前記被検体に対して出射される光の光量を制御することを特徴とする請求項８又は９に記載の生体情報取得方法。
【請求項１１】
前記制御部は、前記撮像条件として前記画素列の画素からの信号の増幅率を制御することを特徴とする請求項８乃至１０のいずれか１項に記載の生体情報取得方法。
【請求項１２】
前記制御部は、前記撮像条件として前記撮像部による画像の撮像期間を制御することを特徴とする請求項８乃至１１のいずれか１項に記載の生体情報取得方法。
【請求項１３】
前記制御部は、前記撮像部として調光部の光透過量を電気的に制御することを特徴とする請求項８乃至１２のいずれか１項に記載の生体情報取得方法。
【発明の詳細な説明】
【技術分野】
【０００１】
本発明は、生体情報取得装置及び生体情報取得方法並びに前記生体情報取得装置を備える電子機器に関する。
【背景技術】
【０００２】
近年、生体認証に関する技術開発の進展が著しい。なお、周知のとおり、生体認証とは、検査対象の個体から取得した生体情報が、予め登録された生体情報に等しいかどうかという判定に基づいて、ある個体を他の個体から識別する技術である。例えば、ヒトの瞳の虹彩に基づいて個体を特定する方法、ヒトの指等の静脈パターンに基づいて個体を特定する方法、及び指の指紋パターンに基づいて個体を特定する方法が挙げられる。
【０００３】
しかし、生体情報を取得する際の環境（例えば、太陽光、蛍光灯等）や個人差（例えば、光の透過度等）などの外乱によって、撮像した画像から認証に有効な生体情報を取得できない場合がある。
【０００４】
そこで、特許文献１の生体情報取得装置は、撮像部により撮像した画像を解析して、その画像の輝度分布を求め、輝度分布が均一化されるように照射部を制御している。また、この生体情報取得装置は、画像の解析結果から、カメラ制御用のパラメータ(例えば、ゲイン、シャッタースピード)を制御している。
【０００５】
また、特許文献２の生体情報取得装置は、撮像部により撮像した画像の信号のゲインを判定して、判定結果に応じて画像信号のゲインを制御している。
【０００６】
ところで、特許文献３の生体情報取得装置は、一列以上の画素列を有する撮像部を駆動部によって前記画素列と交差する方向に移動させ、被検体の部分画像を順次撮像している。この生体情報取得装置は、予め撮像部の位置に応じて照射部の光量を制御する構成とされている。
【特許文献１】特開２００７−１０２４２１号公報
【特許文献２】特開平１０−２４０９１３号公報
【特許文献３】特開２００７−２５７３０７号公報
【発明の開示】
【発明が解決しようとする課題】
【０００７】
特許文献１、２の生体情報取得装置は、一列以上の画素列を有する撮像部を前記画素列と交差する方向に往復させて画像を撮像する構成の生体情報取得装置ではない。そのため、撮像する画像に応じた領域全域に画素を配置する必要があり、コストが嵩む。
【０００８】
一方、特許文献３の生体情報取得装置は、一列以上の画素列を有する撮像部を前記画素列と交差する方向に移動させて画像を撮像する構成とされている。しかし、この生体情報取得装置は、撮像部を往復させることによって、前回に撮像した画像を評価して、この評価結果を反映させて、次回に認証に有効な画像を撮像する構成とされていない。そのため、認証に有効な画像を、迅速に効率良く撮像することができない。
【０００９】
本発明は、認証に有効な画像を安価に、しかも迅速に効率良く撮像することができる生体情報取得装置及び生体情報取得方法、並びに前記生体情報取得装置を備える電子機器を提供することを目的とする。
【課題を解決するための手段】
【００１０】
本発明に係る生体情報取得装置は、
被検体に光を照射する照射部と、
一列以上の画素列を有する撮像部と、
前記撮像部を、前記画素列と交差する方向に往復可能とする駆動部と、
を備える生体情報取得装置であって、
前記撮像部が撮像した画像を、予め設定されている条件に従って評価する評価部と、
前記評価部の評価結果に基づいて、次回に前記被検体を撮像する際の前記被検体に対する光の照射条件又は前記撮像部による前記被検体の撮像条件を制御する制御部と、
を備えている。これにより、認証に有効な画像を安価に、しかも迅速に効率良く撮像することができる。
【００１１】
上述の制御部は、前記撮像部が往路で撮像した画像の評価結果に基づいて、前記撮像部の復路における前記照射条件又は前記撮像条件を制御することが好ましい。
【００１２】
上述の制御部は、前記照射条件として前記照射部から前記被検体に対して出射される光の光量を制御することが好ましい。
【００１３】
上述の制御部は、前記撮像条件として前記画素列の画素からの信号の増幅率を制御することが好ましい。
【００１４】
上述の制御部は、前記撮像条件として前記撮像部による画像の撮像期間を制御することが好ましい。
【００１５】
上述の撮像部上に調光部を備えており、
前記制御部は、前記撮像条件として前記調光部の光透過量を電気的に制御することが好ましい。
【００１６】
本発明に係る電子機器は、請求項１乃至６のいずれか１項に記載の生体情報取得装置を備えている。これにより、認証に有効な画像を安価に、しかも迅速に効率良く撮像することができる。
【００１７】
本発明に係る生体情報取得方法は、
被検体に光を照射して前記被検体の生体情報を取得する方法であって、
一列以上の画素列を有する撮像部を、駆動部によって前記画素列と交差する方向に移動させて画像を撮像し、
評価部は、前記撮像部が撮像した画像を評価し、
制御部は、前記評価部の評価結果に基づいて、次回に前記被検体を撮像する際の前記被検体に対する光の照射条件又は前記撮像部による前記被検体の撮像条件を制御し、
前記撮像部を、駆動部によって前記画素列と交差する方向に移動させて、前記制御された照射条件又は撮像条件で画像を撮像する。これにより、認証に有効な画像を安価に、しかも迅速に効率良く撮像することができる。
【００１８】
上述の制御部は、前記撮像部が往路で撮像した画像の評価結果に基づいて、前記撮像部の復路における前記照射条件又は前記撮像条件を制御することが好ましい。
【００１９】
上述の制御部は、前記照射条件として前記被検体に対して出射される光の光量を制御することが好ましい。
【００２０】
上述の制御部は、前記撮像条件として前記画素列の画素からの信号の増幅率を制御することが好ましい。
【００２１】
上述の制御部は、前記撮像条件として前記撮像部による画像の撮像期間を制御することが好ましい。
【００２２】
上述の制御部は、前記撮像部として調光部の光透過量を電気的に制御することが好ましい。
【発明の効果】
【００２３】
本発明によれば、認証に有効な画像を安価に、しかも迅速に効率良く撮像することができる。
【発明を実施するための最良の形態】
【００２４】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００２５】
＜実施形態１＞
本発明に係る生体情報取得装置及び生体情報取得方法、並びに前記生体情報取得装置を備える電子機器の実施形態１について、図１乃至図１０を用いて説明する。
【００２６】
本実施形態の生体情報取得装置１は、図１に示すように、被検体として指２に光を照射して取得した生体情報取得画像と、予め登録されている生体情報のテンプレートとを比較して認証する。この生体情報取得装置１は、電子機器の一種である携帯電話３に搭載している。ちなみに、携帯電話３は、図２に示すように、通例の折り畳み式の携帯電話であって、上側本体４、下側本体５、ヒンジ６を備えている。上側本体４は、その内面に表示部７を備えており、外面には、表面領域４ａの下に生体情報取得装置１を備えている。下側本体５は、その内面にテンキー８等を備えている。但し、生体情報取得装置１は、携帯電話３に限られず、パーソナルコンピュータ、銀行のＡＴＭ（Automated Teller Machine）などに好適に用いることができる。
【００２７】
この生体情報取得装置１は、図３に示すように、照射部１００、撮像部２００、駆動部３００、処理部４００、認証部５００、記憶部６００を備えている。
【００２８】
照射部１００は、例えば近赤外光（以下、検査光という場合がある。）を出射する半導体発光素子（LED(Light Emitting Diode)）、又は半導体レーザ素子（LD(Laser Diode)）である。照射部１００に電流を流すことによって、照射部１００は近赤外光（波長：５８０ｎｍ〜１０００ｎｍ、より好ましくは波長：７８０ｎｍ〜９６０ｎｍ）を指２に照射する。この照射部１００は、上方に検査光を出射するように、駆動部３００に設けられている。但し、本実施形態の照射部１００は、生体情報として指静脈パターンを取得するべく、近赤外光を出射する構成とされているが、指紋パターンを取得する際には、可視光を出射する構成とされる。また、本実施形態の照射部１００は、駆動部３００に設けているが、携帯電話３の上側本体４内に側方から検査光を出射するように設けても良い。つまり、照射部１００の配置は、指２に検査光を照射することができる配置であれば良い。
【００２９】
撮像部２００は、図４に示すように、ラインセンサー２０１上に光学機能部２０２が積層された光学部品である。この撮像部２００は、上方から検査光が入射するように、駆動部３００に設けられている。
【００３０】
ラインセンサー２０１は、図５に示すように、画素ＰＸ、垂直走査回路２０３、水平走査回路２０４、増幅器２０５などを備えている。但し、本実施形態のラインセンサ−２０１としては、ＣＭＯＳ（Complementary Metal Oxide Semiconductor）イメージセンサ−を用いているが、ＣＣＤ（Charge Coupled Device）イメージセンサ−等の半導体を用いた固体イメージセンサーを用いることができる。
【００３１】
画素ＰＸは、フォトダイオード等の光電変換素子である。この画素ＰＸは、所定の間隔をあけて複数個、ライン状に配置されている。垂直走査回路２０３及び水平走査回路２０４は、所定の読み出しタイミングで画素ＰＸにアクセスして、前記画素ＰＸから撮像した画像の信号を出力させる。増幅器２０５は、入力された信号を所定の増幅率で増幅して、処理部４００に出力する。なお、増幅器２０５で信号を増幅する前段階として、ノイズを軽減するために、相関二重サンプリングを行うと良い。
【００３２】
光学機能部２０２は、光チャネル分離層２０６、マイクロレンズアレイ２０７、バンドパスフィルタ２０８が、この順で下方から上方へ配置されている。
【００３３】
バンドパスフィルタ（フィルタ部材）２０８は、照射部１００からの近赤外光を選択的に通過させる板状の光学部材である。
【００３４】
マイクロレンズアレイ２０７は、透明基板２０９、レンズ（集光レンズ）２１０を備えている。なお、バンドパスフィルタ２０８を支持するスペーサ層２１１が透明基板２０９の上面に配置されている。
【００３５】
複数のレンズ２１０は、図６に示すように、ラインセンサー２０１の各画素ＰＸに対応してライン状に配置されている。レンズ２１０の光軸上に画素ＰＸが配置されている。レンズ２１０の上面視形状は四角形である。
【００３６】
透明基板２０９及びレンズ２１０は、検査光に対して、実質的に透明な材料からなる。透明基板２０９は、石英基板である。レンズ２１０は、透明基板２０９にホトリソグラフィー、ＵＶ硬化成形、射出成形、ホットエンボスなどによって作製された光学部品である。なお、マイクロレンズアレイ２０７を画素ＰＸの上方に設けることによって、指２の表皮から所定の深さに位置する指静脈パターンを好適に撮像することが可能になる。
【００３７】
光チャネル分離層２０６は、遮光膜２１２、第１透明層２１３、第２透明層２１４、光吸収層２１５を備えている。
【００３８】
遮光膜２１２は、通常の半導体プロセス技術（スパッタ、蒸着等）に基づいて、金属材料がマイクロレンズアレイ２０７の下面に格子状に形成された層である。遮光膜２１２は、マイクロレンズアレイ２０７の各レンズ２１０に対応して形成された複数の開口部ＯＰ１を有する。なお、複数の開口部ＯＰ１とは、光学的な意味での開口を意味する。ここでは、開口部ＯＰ１には、第１透明層２１３が充填されている。
【００３９】
第１透明層２１３は、レジスト（樹脂材料）からなる層であって、検査光に対して実質的に透明である。第１透明層２１３は、通常のコート法（スピンコート法等）により、遮光膜２１２が形成された後、マイクロレンズアレイ２０７の下面に形成される。コート後の加熱処理によって、第１透明層２１３の粘性は失われる。
【００４０】
第２透明層２１４は、第１透明層２１３と同じ材料からなるレジスト層である。よって、第２透明層２１４も、検査光に対して実質的に透明である。第２透明層２１４は、互いに離間する複数のランド２１４ａを有する。ランド２１４ａは、通常のコート法（スピンコート法等）により、第１透明層２１３の下面に第２透明層２１４が形成された後、その第２透明層２１４に格子状の溝が形成されることで形成される。つまり、格子状の溝が形成されることにより、互いに分離された複数のランド２１４ａが形成されている。分離されたランド２１４ａは、ラインセンサー２０１の各画素ＰＸに対応して２次元状に配置されている。なお、ランドとは、溝により規定される島状の部分を意味する。各ランドは、互いに完全に分離されている必要はない。
【００４１】
光吸収層２１５は、ランド２１４ａを覆うように充填される。光吸収層２１５は、検査光を吸収する材料（フタロシアニン等）を含むレジスト層である。光吸収層２１５は、スピンコート法等に基づいて、ランド２１４ａを覆うように（第２透明層２１４に形成された溝を埋めるように）レジスト材料が塗布されることで形成される。そして、リソグラフィーに基づいて、マイクロレンズアレイ２０７の各レンズ２１０の集光箇所に対応する開口部ＯＰ２が光吸収層２１５に形成される。なお、開口部ＯＰ２は、ラインセンサー２０１の各画素ＰＸの配置位置にも対応する。開口部ＯＰ２は、ラインセンサー２０１の各画素ＰＸに対応して、ライン状に配置される。
【００４２】
このような撮像部２００は、指２の内部で反射された検査光が、マイクロレンズアレイ２０７のレンズ２１０を介して、ラインセンサー２０１の画素ＰＸに集光される。
【００４３】
具体的にいうと、照射部１００から出射された近赤外光は、ヒトの指２に照射される。指２の内部では、近赤外光は反射されたりする。
【００４４】
指２を反射した検査光は、撮像部２００に入射する。まず検査光は、バンドパスフィルタ２０８を通過する。なお、検査光以外の外乱光は、バンドパスフィルタ２０８により遮断される。バンドパスフィルタ２０８によってノイズ成分を遮断することができるため、より良質な画像を撮像することができる。
【００４５】
バンドパスフィルタ２０８を通過した検査光は、マイクロレンズアレイ２０７に入射する。マイクロレンズアレイ２０７では、透明基板２０９の上面に配置された各レンズ２１０によってラインセンサー２０１の各画素ＰＸに集光される。
【００４６】
マイクロレンズアレイ２０７のレンズ２１０により集光された光は、光チャネル分離層２０６に入射する。光チャネル分離層２０６は、上述のように、ラインセンサー２０１の各画素に対応してライン状に配置された開口部ＯＰ１及び開口部ＯＰ２を備えている。また、光チャネル分離層２０６は、ラインセンサー２０１の各画素に対応してライン状に配置されたランド２１４ａを備えている。隣り合うランド２１４ａの間には、光吸収層２１５が充填されている。ランド２１４ａの下面にも光吸収層２１５が形成されている。光吸収層２１５には、近赤外線を吸収する顔料が含有されている。従って、光吸収層２１５に入射した検査光は、効果的に光吸収層２１５に含まれる顔料により吸収される。
【００４７】
このような構成により、光チャネル分離層２０６は、マイクロレンズアレイ２０７のレンズ２１０からラインセンサー２０１の画素ＰＸに至る光路（光チャネル）同士を分離する。そして、光チャネル間で生じうるクロストーク（混信）は抑制される。なお、検査光は、レンズ２１０から画素ＰＸに進むに従って集光されるから、開口部ＯＰ２の開口幅は、開口部ＯＰ１の開口幅よりも狭く設定されている。
【００４８】
ラインセンサー２０１の各画素に集光された光は、上述のように各画素で光電変換される。そして、例えば信号電圧として読み出されて増幅された後に、処理部４００でアナログ／デジタル変換される。
【００４９】
駆動部３００は、携帯電話３の上側本体４の表面領域４ａを左右に往復する摺動部材３０１、摺動部材３０１をガイドする二本のレール部材３０２を備えている。摺動部材３０１には、図１に示すように、照射部１００が前記摺動部材３０１の移動方向と交差する方向にライン状に複数配置されている。さらに、摺動部材３０１には、撮像部２００がライン状に配置した照射部１００と平行に配置されている。つまり、照射部１００、撮像部２００は、図１に示すように、駆動部３００によってラインセンサー２０１の画素列と交差する方向（図１の矢印方向）に往復する。この際、撮像部２００の移動期間内に亘って前記撮像部２００で順次画像を撮像して、撮像部２００の移動範囲に対応する範囲内で画像を撮像する。このように、生体情報取得装置１は、画素列を移動させて画像を順次撮像するので、撮像する画像に応じた領域全域に画素を配置する必要がなく、安価に画像を撮像することができる。
【００５０】
ちなみに、摺動部材３０１は、図示を省略したモーター等の駆動装置によって往復する。例えば、レール部材３０２の外周にねじ部を形成する。摺動部材３０１にモーターを設け、このモーターの回転軸にピニオンギアを設ける。レール部材３０２のねじ部とモーターのピニオンギアとを噛合させて、モーターの駆動力によって摺動部材３０１がレール部材３０２に沿って移動する。但し、駆動部３００の構成は、この限りではなく、要するに少なくとも撮像部２００を、ラインセンサー２０１の画素列と交差する方向に移動させることができる構成であれば良い。
【００５１】
処理部４００は、画像形成部４０１、評価部４０２、制御部４０３などを備えている。画像形成部４０１は、各画素からの画像の信号のアナログ／デジタル処理、２値化処理、補正、及び撮像した複数枚の画像を一枚の合成画像にする等の画像処理を施し、生体情報取得画像を形成する。
【００５２】
評価部４０２は、予め設定されている条件に従って撮像部２００が撮像した画像を評価する。具体的にいうと、評価部４０２は、撮像した画像から画像形成部４０１が形成した生体情報取得画像が、認証に有効か否かを評価する。このとき、撮像部２００は、ラインセンサー２０１の画素列と交差する方向に往復する構成とされているので、往路で撮像した画像を用いて、評価部４０２で認証に有効な画像か否かを評価できる。例えば、評価部４０２は、生体情報取得画像を画素列の配置方向と平行に区画し、少なくとも一つの区画領域を抽出して、この区画領域内の明るさのばらつきの分布が適正値に略集中し、且つ前記ばらつきが標準偏差の任意の倍数以下の条件を満たしているか否かを評価する。任意の倍数としては、例えば３倍に設定される。
【００５３】
評価部４０２は、上記の条件を満たしていると、既に認証に有効な生体情報取得画像である可能性が高いので、生体情報取得画像を直接に認証部５００に出力する。
【００５４】
一方、評価部４０２は、上記の条件を満たしていないと、認証に有効でない生体情報取得画像である可能性が高いので、再度、撮像部２００を移動させて画像を撮像する指令を制御部４０３に出力する。
【００５５】
制御部４０３は、次回、撮像部２００を移動させて画像を撮像する際に、撮像した画像が上記の条件を満たすように、各照射部１００の配置位置に合った光量を算出する。算出方法としては、各画素からの画像の信号が適正値に略均一化されるように、制御部４０３は各照射部１００から指２に対して出射される光の光量を算出する。例えば、予めシミュレーション等によって、画素からの信号電圧と照射部１００の光量との関係及び画素からの信号電圧の適正値を算出しておき、各画素からの信号電圧と適正値との差分に基づいて、各照射部１００の光量を算出する。なお、各画素からの画像の信号は、適正値に厳密に均一化される必要はなく、認証に有効な生体情報を取得できる範囲で均一化されていれば良い。
【００５６】
制御部４０３は、算出した光量に各々の照射部１００を制御する。つまり、本実施形態の生体情報取得装置１は、撮像部２００の移動によって撮像した画像の評価結果を反映させて、各照射部１００の光量を制御し、次回、撮像部２００を移動させて画像を撮像する際には、認証に有効な画像を撮像することができる。特に、撮像部２００は往復移動するので、往路で撮像した画像の評価結果を反映させて、復路で各照射部１００を制御し、認証に有効な画像を撮像することができる。そのため、迅速に、しかも効率良く認証に有効な画像を安価に撮像することができる。また、生体情報を取得する際の環境（例えば、太陽光、蛍光灯等）や個人差（例えば、光の透過度等）などの外乱による影響を受けても、この影響を反映させた状態で、認証に有効な画像を撮像することができる。
【００５７】
認証部５００は、記憶部６００に格納された生体情報のテンプレートと、形成した生体情報取得画像とを比較して認証する。認証部５００による具体的な認証方法は任意である。生体認証の方法は、パターンの類似性を判別する各種方法に依存する。
【００５８】
記憶部６００は、生体認証を実現するためのプログラム、画像形成を実現するためのプログラム、生体情報のテンプレート、及び認証履歴といった情報を格納している。
【００５９】
このような構成の生体情報取得装置１を用いて、本実施形態の生体情報取得方法は、以下のように実施される。
先ず、図７に示すように、予め設定されている初期状態又は現状の指２を撮像する際の指２に対する光の照射条件及び撮像部２００による指２の撮像条件で、摺動部材３０１を画素列と交差する方向に移動させる。そして、撮像部２００によって画像を撮像し、処理部４００の画像形成部４０１に画像を出力する（Ｓ１）。ここで、照射条件は照射部１００を成すＬＥＤから指２に対して出射される光の光量である。撮像条件は、照射部１００の発光タイミング（ＯＮ、ＯＦＦの切替）、各画素からの画像の信号の増幅率、撮像部による画像の撮像期間である。
【００６０】
画像形成部４０１は、入力された画像を処理して生体情報取得画像を形成し、生体情報取得画像を評価部４０２に出力する（Ｓ２）。
【００６１】
評価部４０２は、入力された生体情報取得画像を画素列の配置方向と平行に区画し、少なくとも一つの区画領域内の明るさのばらつきを算出する。ちなみに、区画領域では、例えば図８（ｂ）に示すような生体情報取得画像となる。ここで、図８（ａ）は、ＬＥＤ及び画素の配置関係を示している。図８（ｂ）は、前記ＬＥＤ及び画素の配置によって、形成した生体情報取得画像の区画領域に相当する部分である。また、図９は、生体情報取得画像の区画領域での画素位置と明るさとの関係を、ＬＥＤの照射領域との関係を交えて示した図である。
【００６２】
次に、評価部４０２は、生体情報取得画像の区画領域における明るさのばらつきが適正値に略集中し、且つ前記ばらつきが標準偏差の任意の倍数（例えば３倍）以下の条件を満たしているか否かを評価する（Ｓ３）。例えば、８ビットのグレースケールの生体情報取得画像を形成する場合は、明るさのばらつきの適正値をフルスケール（２５６色）の半分である１２８色に設定する。ちなみに、図１０（ａ）はサンプルＡ、Ｂ、Ｃの明るさのばらつきを示している。図１０（ａ）における縦軸は画素数、横軸は色数である。図１０（ｂ）はサンプルＡ、Ｂ、Ｃの条件で形成した生体情報取得画像を示している。ここでは、サンプルＢの条件が認証に有効な生体情報取得画像であることが分かる。
【００６３】
評価部４０２は、上記の条件を満たしていると、既に認証に有効な生体情報取得画像である可能性が高いので、生体情報取得画像を直接に認証部５００に出力する。
【００６４】
一方、評価部４０２は、上記の条件を満たしていないと、認証に有効でない生体情報取得画像である可能性が高いので、再度、撮像部２００を移動させて画像を撮像する指令を制御部４０３に出力する。
【００６５】
制御部４０３は、次回に撮像部２００を移動させて画像を撮像する際に、撮像した画像が上記の条件を満たすように、各照射部１００の配置位置に合った光量を算出する。算出方法としては、上述したように各画素からの画像の信号が適正値に略均一化されるように、制御部４０３は各照射部１００の光量を算出する（Ｓ４）。
【００６６】
そして、制御部４０３は算出した光量に各照射部１００を制御する。このように制御された照射条件で、処理部４００は摺動部材３０１を画素列と交差する方向に移動させ、撮像部２００によって再度、順次画像を撮像し、処理部４００の画像形成部４０１に画像を出力する（Ｓ５）。
【００６７】
その後は、上記したＳ２以下の工程を、形成した生体情報取得画像が上記の条件を満たすまで繰り返す。形成した生体情報取得画像が上記の条件を満たし、生体情報取得画像が認証部５００に入力されると、認証部５００は、記憶部６００から生体情報のテンプレートを呼び出し、テンプレートと入力された生体情報取得画像とを比較して認証する（Ｓ６）。
【００６８】
このように、本実施形態の生体情報取得方法は、撮像部２００の移動によって撮像した画像の評価結果を反映させて、各照射部１００の光量を制御し、次回、撮像部２００を移動させて画像を撮像する際には、認証に有効な画像を撮像することができる。特に、撮像部２００は往復移動するので、往路で撮像した画像の評価結果を反映させて、復路で各照射部１００を制御し、認証に有効な画像を撮像することができる。そのため、迅速に、しかも効率良く認証に有効な画像を安価に撮像することができる。また、生体情報を取得する際の環境や個人差などの外乱による影響を受けても、この影響を反映させた状態で、認証に有効な画像を撮像することができる。
【００６９】
＜実施形態２＞
上記実施形態１は、照射条件である照射部１００の光量を制御して、認証に有効な画像を撮像しているが、この限りでない。
【００７０】
すなわち、制御部４０３は、上記の条件を満たすように、増幅器２０５の各画素ＰＸからの画像の信号の増幅率を算出する。算出方法としては、各画素ＰＸからの画像の信号が適正値に略均一化されるように、制御部４０３は画素ＰＸからの画像の信号の増幅率を算出する。例えば、予めシミュレーション等によって、画素からの信号電圧の適正値を算出しておき、各画素からの信号電圧が適正値となるように増幅率を算出する。
【００７１】
そして、制御部４０３は算出した増幅率で増幅器２０５を制御する。増幅器２０５の増幅率の制御方法は任意である。例えば増幅器２０５の前と、区間部分に抵抗を設け、この抵抗値を変更することによって制御することができる。
【００７２】
このような実施形態では、撮像部２００の移動によって撮像した画像の評価結果を反映させて、増幅器２０５の増幅率を制御し、次回、撮像部２００を移動させて画像を撮像する際には、認証に有効な画像を撮像することができる。特に、撮像部２００は往復移動するので、往路で撮像した画像の評価結果を反映させて、復路で増幅器２０５の増幅率を制御し、認証に有効な画像を撮像することができる。そのため、迅速に、しかも効率良く認証に有効な画像を安価に撮像することができる。
【００７３】
＜実施形態３＞
また、撮像部２００による各画素ＰＸの画像の撮像期間を制御しても良い。具体的には、撮像部２００の画素ＰＸにおける電荷蓄積量を制御するのである。
【００７４】
すなわち、制御部４０３は、上記の条件を満たすように、撮像部２００による各画素ＰＸの画像の撮像期間を算出し、さらにこの撮像期間を実現するべく、各画素ＰＸから画像の信号を読み出すタイミングを算出する。算出方法としては、各画素ＰＸからの画像の信号が適正値に略均一化されるように、制御部４０３は画素ＰＸから画像の信号を読み出すタイミングを算出する。例えば、予めシミュレーション等によって、画素ＰＸからの信号電圧と画素ＰＸの画像の撮像期間との関係及び画素からの信号電圧の適正値を算出しておき、各画素からの信号電圧と適正値との差分に基づいて、各画素ＰＸから画像の信号を読み出すタイミングを算出する。
【００７５】
そして、制御部４０３は算出された読み出しタイミングで垂直走査回路２０３及び水平走査回路２０４を制御する。
【００７６】
このような実施形態では、撮像部２００の移動によって撮像した画像の評価結果を反映させて、撮像部２００による各画素ＰＸの画像の撮像期間を制御し、次回、撮像部２００を移動させて画像を撮像する際には、認証に有効な画像を撮像することができる。特に、撮像部２００は往復移動するので、往路で撮像した画像の評価結果を反映させて、復路で各画素ＰＸの画像の撮像期間を制御し、認証に有効な画像を撮像することができる。そのため、迅速に、しかも効率良く認証に有効な画像を安価に撮像することができる。
【００７７】
なお、本実施形態では、各画素ＰＸの画像の撮像期間を垂直走査回路２０３及び水平走査回路２０４の制御で行ったが、画素ＰＸの電子シャッターを制御しても良い。
【００７８】
＜実施形態４＞
さらに、図１１に示すように、撮像部２００上に調光器としてドットマトリクス方式の液晶フィルター７００を備えている場合は、この液晶フィルター７００の光透過量を制御しても良い。ちなみに、液晶フィルター７００は撮像部２００上を覆うように摺動部材３０１に設けられており、摺動部材３０１の移動に追従する。但し、本実施形態の液晶フィルター７００は撮像部２００のみを覆う構成とされているが、表面領域４ａ全域を覆う構成とされていても良い。
【００７９】
液晶フィルター７００は、液晶が所定の規則で配列された液晶パネル７０１、上下の電極７０２、７０３、上側の電極７０２の電圧を個々に制御する電圧制御回路７０４を備えている。この液晶フィルター７００は、上下の電極７０２、７０３から印加される電圧によって、各ドットの液晶が開閉する構成とされている。
【００８０】
そこで、制御部４０３は、上記の条件を満たすように、各ドットの液晶の光透過量を算出し、この液晶の光透過量を実現するべく、各ドットの液晶に印加する電圧を算出する。算出方法としては、各画素ＰＸからの画像の信号が適正値に略均一化されるように、制御部４０３は各々のドットの液晶に印加する電圧を算出する。例えば、予めシミュレーション等によって、画素ＰＸからの信号電圧と各ドットの液晶に印加する電圧との関係及び画素からの信号電圧の適正値を算出しておき、各画素からの信号電圧と適正値との差分に基づいて、各ドットの液晶に印加する電圧を算出する。
【００８１】
そして、制御部４０３は、電圧制御回路７０４を介して算出された電圧に電極７０２、７０３を制御し、各ドットの液晶の光透過量を制御する。
【００８２】
このような実施形態では、撮像部２００の移動によって撮像した画像の評価結果を反映させて、液晶フィルター７００の光透過量を制御し、次回、撮像部２００を移動させて画像を撮像する際には、認証に有効な画像を撮像することができる。特に、撮像部２００は往復移動するので、往路で撮像した画像の評価結果を反映させて、復路で液晶フィルター７００の液晶の光透過量を制御し、認証に有効な画像を撮像することができる。そのため、迅速に、しかも効率良く認証に有効な画像を安価に撮像することができる。
なお、調光器としては液晶フィルターに限らない。
【００８３】
＜実施形態５＞
上記実施形態１〜４は、一旦、撮像した画像から生体情報取得画像を形成し、この生体情報取得画像を評価しているが、図１２に示すように、各画素から読み出される画像の信号を直接に評価部４０２が評価しても良い。
【００８４】
すなわち、図１３に示すように、予め設定されている初期状態又は現状の照射条件及び撮像条件で、摺動部材３０１を画素列と交差する方向に移動させる。そして、撮像部２００によって画像を撮像し、処理部４００の評価部４０２に各画素から撮像した画像の信号を入力する（Ｓ１０）。
【００８５】
次に、評価部４０２は各画素からの画像の信号が、適正値に略均一化されているか否かを評価する（Ｓ２０）。
【００８６】
評価部４０２は、各画素からの画像の信号が適正値に略均一化されている場合は、認証に有効な画像である可能性が高いので、信号を画像形成部４０１に入力する。
【００８７】
一方、評価部４０２は、各々の画素からの画像の信号が適正値から大きく離れている、又は適正値に対してばらつきが大きい場合は、認証に有効な画像でない可能性が高いので、再度、撮像部２００を移動させて画像を撮像する指令を制御部４０３に出力する。
【００８８】
制御部４０３は、次回、撮像部２００を移動させて画像を撮像する際に、撮像した画像が上記の条件を満たすように、上記実施形態１〜４と同様に照射条件又は撮像条件を算出して制御する（Ｓ３０）。このように照射条件又は撮像条件が制御された状態で、処理部４００は摺動部材３０１を画素列と交差する方向に移動させ、撮像部２００によって再度、画像を撮像し、処理部４００の評価部４０２に各画素から画像の信号を入力する（Ｓ４０）。
【００８９】
その後は、上記したＳ２０以下の工程を、各画素からの画像の信号が適正値に略均一化されるまで繰り返し、評価部４０２から各画素からの画像の信号が画像形成部４０１に入力されると、画像形成部４０１は各画素からの画像の信号を処理して生体情報取得画像を形成する（Ｓ５０）。
【００９０】
画像形成部４０１は生体情報取得画像を認証部５００に出力し、認証部５００は、記憶部６００から生体情報のテンプレートを呼び出し、テンプレートと入力された生体情報取得画像とを比較して認証する（Ｓ６０）。
【００９１】
このような実施形態でも、撮像部２００の移動によって撮像した画像の評価結果を反映させて、照射条件又は撮像条件を制御し、次回、撮像部２００を移動させて画像を撮像する際には、認証に有効な画像を撮像することができる。特に、撮像部２００は往復移動するので、往路で撮像した画像の評価結果を反映させて、復路で照射条件又は撮像条件を制御し、認証に有効な画像を撮像することができる。そのため、迅速に、しかも効率良く認証に有効な画像を安価に撮像することができる。
【００９２】
＜実施形態６＞
上記実施形態１〜５では、駆動部３００の摺動部材３０１がモーター等の駆動装置によって往復しているが、この限りでない。
【００９３】
すなわち、本実施形態の生体情報取得装置１０００は、図１４に示すように、ベース板（ベース部材）３００１（３００１ａ〜３００１ｃ）、キャリア部材３００５（３００５ａ〜３００５ｋ）、収納部材３００７を備えている。なお、ベース板３００１、キャリア部材３００５、収納部材３００７は、いずれも樹脂材料からなる。また、生体情報取得装置１０００は、レール部材（ガイド部材）３００３（３００３ａ、３００３ｃ）、緩衝部材３００４（３００４ａ〜３００４ｄ）、線状アクチュエータ３００６（３００６ａ〜３００６ｄ）、照射部１００、撮像部２００を備えている。なお、撮像部２００には、上述のようにラインセンサー２０１、光機能部２０２を備えている。また、生体情報取得装置１０００は、図示は省略したが、収納部材３００７の上面にカバー板を備えている。
【００９４】
はじめに図１６を参照して説明する。図１６に示すように、ベース板３００１は、上面視形状が略Ｕ字状の板状部材であって、連結部３００１ａ、左平板部３００１ｂ、右平板部３００１ｃを備えている。ベース板３００１は、ネジ又は接着剤等の固着手段によって携帯電話３の筐体内の基板に固定されている。
【００９５】
左平板部３００１ｂ及び右平板部３００１ｃは、ｘ軸（図１の左右方向）に沿って互いに平行に延在する。連結部３００１ａは、ｘ軸に対して直交するｙ軸（図１の上下方向）に沿って延在する。左平板部３００１ｂと右平板部３００１ｃとは、連結部３００１ａによって互いの上端部分が連結されている。左平板部３００１ｂと右平板部３００１ｃとの間には開口が形成されている。
【００９６】
ベース板３００１は、４隅に４つの支持部３００２（３００２ａ〜３００２ｄ）を備えている。支持部３００２ａは、左平板部３００１ｂの上端に形成されている。支持部３００２ｂは、左平板部３００１ｂの下端に形成されている。支持部３００２ｃは、右平板部３００１ｃの上端に形成されている。支持部３００２ｄは、右平板部３００１ｃの下端に形成されている。なお、支持部３００２ａ〜３００２ｄは、ベース板３００１に一体成型されている。なお、支持部３００２ａ〜３００２ｄをベース板３００１とは別個の部材とし、支持部３００２ａ〜３００２ｄをベース板３００１に固着させても良い。
【００９７】
支持部３００２ａは、幅広部３００２ａ１、幅狭部３００２ａ２を備えている。幅広部３００２ａ１は、幅狭部３００２ａ２よりも内側に形成され、幅狭部３００２ａ２よりもｘ軸に沿う幅が広い。なお、支持部３００２ａについてした説明は、他の支持部３００２ｂ乃至３００２ｄについても当てはまるため重複する説明は省略する。
【００９８】
レール部材３００３は、互いに対向する支持部３００２間で機械的に保持されている。レール部材３００３は、棒状の金属からなり、キャリア部材３００５の移動を案内する。キャリア部材３００５の移動を円滑にさせるため、レール部材３００３に潤滑油を付着させても良い。
【００９９】
レール部材３００３ａは、互いに対向する支持部３００２ａと支持部３００２ｂとの間に架けられている。レール部材３００３ａは、その上端が支持部３００２ａに固着され、その下端が支持部３００２ｂに固着されている。レール部材３００３ｃは、互いに対向する支持部３００２ｃと支持部３００２ｄとの間に架けられている。レール部材３００３ｃは、その上端が支持部３００２ｃに固着され、その下端が支持部３００２ｄに固着されている。
【０１００】
緩衝部材３００４ａは、支持部３００２ａの幅狭部３００２ａ２の内側面上に配置されている。緩衝部材３００４ａは、ゴム、スポンジ等の弾性を有する材料からなる。緩衝部材３００４ａの内側面をキャリア部材３００５の側面に接触可能にすることで、移動してくるキャリア部材３００５が幅広部３００２ａ１に与える衝撃を緩和させることができる。このように、緩衝部材３００４ａを衝撃吸収部材として機能させることによって、より機械的又は構造的に安定してキャリア部材３００５の移動を停止させることができる。この説明は、他の緩衝部材３００４ｂ乃至３００４ｄ、及び幅広部３００２ｂ乃至３００２ｄについても同様に当てはまる。
【０１０１】
次に図１７を参照して説明する。図１７（ａ）に示すように、キャリア部材３００５は、上面視形状がＵ字状の部材であり、左部分３００５ｉ、中央部３００５ｊ、右部分３００５ｋを備えている。左部分３００５ｉ及び右部分３００５ｋは、共にｘ軸に沿って実質的に平行に延在する。中央部３００５ｊは、ｙ軸に沿って延在し、左部分３００５ｉ及び右部分３００５ｋ夫々の上端部分を連結させている。
【０１０２】
キャリア部材３００５は、厚板部３００５ａ乃至３００５ｇ、及び薄板部３００５ｈを備えている。厚板部３００５ａ乃至３００５ｇで囲まれた空間に収納部材３００７が収納されている。収納部材３００７の下面は、薄板部３００５ｈの上面に接着剤によって接着されている。このようにして、キャリア部材３００５内には収納部材３００７が固着されている。
【０１０３】
図１７（ｂ）に図１７（ａ）のＹ１−Ｙ１間のキャリア部材３００５の断面構成を示す。
図１７（ｂ）に示すように、キャリア部材３００５は、厚板部３００５ｂにレール部材３００３ａが挿通される孔を有し、この孔にレール部材３００３ａが挿入されている。なお、厚板部３００５ｂの孔にレール部材３００３ａが挿入されたとき、キャリア部材３００５がレール部材３００３ａに沿って移動可能な程度の遊びの空間が保たれるものとする。また、キャリア部材３００５の厚板部３００５ｂの外側面には、線状アクチュエータ３００６を部分的に収納する孔が設けられている。
【０１０４】
図１７（ｃ）に図１７（ａ）のＹ２−Ｙ２間のキャリア部材の断面構成を示す。
図１７（ｃ）に示すように、キャリア部材３００５は、厚板部３００５ｅにレール部材３００３ｃが挿通される孔を有し、この孔にレール部材３００３ｃが挿入されている。図１７（ｃ）の説明と同様に、この場合も遊びの空間が保たれる。また、キャリア部材３００５の厚板部３００５ｅの外側面には線状アクチュエータ３００６を部分的に収納する孔が設けられている。
【０１０５】
なお、厚板部３００５ｂ、３００５ｅには、各線状アクチュエータ３００６の内端が取り付けられている。従って、厚板部３００５ｂ、３００５ｅは、厚板部３００５ａ、３００５ｃ、３００５ｄ、３００５ｆよりも外側に突出する。厚板部３００５ａ、３００５ｃ、３００５ｄ、３００５ｆ夫々も、同様に、レール部材３００３が挿通される孔を備えている。
【０１０６】
図１４に戻って説明する。
図１４に示すように、線状アクチュエータ３００６ａの外端（上端）は支持部３００２ａに固着され、その内端（下端）はキャリア部材３００５の厚板部３００５ｂに固着されている。線状アクチュエータ３００６ｂの外端（下端）は支持部３００２ｂに固着され、その内端（上端）はキャリア部材３００５の厚板部３００５ｂに固着されている。線状アクチュエータ３００６ｃの外端（上端）は支持部３００２ｃに固着され、その内端（下端）はキャリア部材３００５の厚板部３００５ｅに固着されている。線状アクチュエータ３００６ｄの外端（下端）は支持部３００２ｄに固着され、その内端（上端）はキャリア部材３００５の厚板部３００５ｅに固着されている。なお、コイルの取り付け方法は任意である。例えば、コイルの先端をフック状にし、これを厚板部又は支持部に引っ掛ける構造を採用しても良い。
【０１０７】
本実施形態においては、線状アクチュエータ３００６ａ、３００６ｃは、Ti-Ni系又はTi-Ni-Cu系の線状の合金（形状記憶合金）がコイル状に巻かれたコイル部材である。また、本実施形態では、パルス変調された電流を線状アクチュエータ３００６ａ、３００６ｃに印加する。線状アクチュエータ３００６ａ、３００６ｃは抵抗として機能し、流れる電流量に応じて発熱する。線状アクチュエータ３００６ａ、３００６ｃが所定の温度以上になると、線状アクチュエータ３００６ａ、３００６ｃは収縮する。
【０１０８】
これによって、図１４及び図１５に示すように、キャリア部材３００５を下から上へ移動させることができる。キャリア部材３００５には、収納部材３００７を介して、撮像部２００が実装されている。キャリア部材３００５の移動に伴って撮像部２００が移動する。キャリア部材３００５の移動期間内に亘って撮像部２００で順次画像を撮像することによって、撮像部２００の移動範囲に対応する範囲内で画像を撮像することができる。このようにして、画素数が少ない撮像部２００で認証に有効な画像を撮像することができる。
【０１０９】
線状アクチュエータ３００６ｂ、３００６ｄは、金属線を巻いて形成した通常のつるまきばねである。従って、線状アクチュエータ３００６ａ、３００６ｃにパルス電流が印加されていない場合、キャリア部材３００５はつるまきばね３００６ｂ、３００６ｄの引っ張り力に従って、図１４の位置にある。すなわち、通常時、キャリア部材３００５は、つるまきばね３００６ｂ、３００６ｄが固着された支持部３００２ｂ、３００２ｄ寄りに位置する。生体情報取得時、線状アクチュエータ３００６ａ、３００６ｃに対するパルス電流の印加に伴って、キャリア部材３００５は支持部３００２ｂ、３００２ｄから支持部３００２ａ、３００２ｃ寄りへ移動する。
【０１１０】
なお、パルス電流印加に伴う線状アクチュエータ３００６ａ、３００６ｃの引っ張り力は、つるまきばね３００６ａ、３００６ｃの引っ張り力に比して十分に大きい。従って、比較的短時間にキャリア部材３００５を図１４から図１５の状態にまで移動させることができる。なお、ここでは、形状記憶合金の金線をコイル状に巻くことによって、その引っ張り力を増大させている。
【０１１１】
このように、線状アクチュエータ３００６ａ、３００６ｃにパルス電流を流すことのみによってキャリア部材３００５を移動させることができるため、他の駆動機構（例えば、モーター等の駆動装置を活用した駆動機構）に比べて、騒音が発生しない、振動が発生しない、及び消費電流を低くすることができるといったメリットがある。しかも、モーター等の駆動装置の配置スペースを省略することができるので、生体情報取得装置を小型化することができる。
【０１１２】
なお、線状アクチュエータ３００６ａ、３００６ｃに流す電流は、直流、単純交流の電流であっても良い。但し、パルス変調した電流を線状アクチュエータ３００６ａ、３００６ｃに流すことによって、流れる電流量を比較的精度よく調整することができる。
【０１１３】
また、図１５から図１４の状態に戻す場合には、線状アクチュエータ３００６ａ、３００６ｃへのパルス電流の供給を停止すれば良い。キャリア部材３００５は、つるまきばね３００６ｂ、３００６ｄの引っ張り力に従って、図１５から図１４の位置へ自然に移動する。線状アクチュエータ３００６ａ、３００６ｃは加熱されなければ実効的なばね作用を奏さない。
【０１１４】
＜実施形態７＞
上記実施形態１〜４では、形成した生体情報取得画像を画素列の配置方向と平行に区画しているが、形成した生体情報取得画像全体を用いて評価しても良い。また、形成した生体情報取得画像を画素列の配置方向と交差する方向に区画し、少なくとも一つの区画領域の明るさのばらつきに基づいて、照射部１００の移動方向における発光タイミングを制御しても良い。
【０１１５】
上記実施形態１〜４では、画像の明るさを評価対象としているが、隣接する画素からの画像の信号の変化量を評価対象としても良い。要するに、各画素からの画像の信号が適正値に略均一化されるように、照射条件又は撮像条件を制御すれば良い。
【０１１６】
上記実施形態１〜５では、制御部４０３が照射条件又は撮像条件を算出しているが、この限りでない。すなわち、各画素からの画像の信号が適正値より大きいか、小さいかを判断させ、大きい場合は、現状の照射条件又は撮像条件に予め定めておいた設定値を加算し、その加算された照射条件又は撮像条件に制御部４０３が制御しても良い。一方、少ない場合は、現状の照射条件又は撮像条件に予め定めた設定値を減算し、その減算された照射条件又は撮像条件に制御部４０３が制御しても良い。
【０１１７】
以上に、本発明に係る生体情報取得装置及び生体情報取得方法、並びに生体情報取得装置を備える電子機器の実施形態を説明したが、本発明の要旨を逸脱しない範囲で、種々の変更が可能である。
【図面の簡単な説明】
【０１１８】
【図１】本発明の実施形態１に係る携帯電話の前面の構成を示す模式図である。
【図２】本発明の実施形態１に係る携帯電話の構成を示す模式図である。
【図３】本発明の実施形態１に係る生体情報取得装置のブロック図である。
【図４】撮像部の概略的な断面図である。
【図５】ラインセンサーの概略的な回路図である。
【図６】画素とレンズとの配置関係を示す平面図である。
【図７】本発明の実施形態１に係る生体情報取得方法のフローチャートである。
【図８】（ａ）はＬＥＤ及び画素の配置関係を示す平面図である。（ｂ）はＬＥＤ及び画素の配置によって、形成した生体情報取得画像の区画領域の画像である。
【図９】生体情報取得画像の区画領域での画素位置と明るさとの関係を、ＬＥＤの照射領域との関係を交えて示した図である。
【図１０】（ａ）はサンプルＡ、Ｂ、Ｃの明るさのばらつきを示した分布図である。（ｂ）はサンプルＡ、Ｂ、Ｃの条件で取得した生体情報取得画像である。
【図１１】本発明の実施形態４に係る生体情報取得装置における撮像部及び液晶フィルターの概略的な拡大斜視図である。
【図１２】本発明の実施形態５に係る生体情報取得装置のブロック図である。
【図１３】本発明の実施形態５に係る生体情報取得方法のフローチャートである。
【図１４】本発明の実施形態６に係る生体情報取得装置の上面構成を示す概略的な模式図である。
【図１５】本発明の実施形態６に係る移動後の生体情報取得装置の上面構成を示す概略的な模式図である。
【図１６】本発明の実施形態６に係る生体情報取得装置のベース部分の構成を示す概略的な模式図である。
【図１７】（ａ）は本発明の実施形態６に係る生体情報取得装置に含まれるキャリア部材の構成を示す概略的な模式図である。（ｂ）は（ａ）のＹ１−Ｙ１断面図である。（ｃ）は（ａ）のＹ２−Ｙ２断面図である。
【符号の説明】
【０１１９】
１  生体情報取得装置
３  携帯電話
１００  照射部
２００  撮像部
３００  駆動部
４０２  評価部
４０３  制御部
５００  認証部
６００  記憶部
７００  液晶フィルター
ＰＸ  画素
１０００  生体情報取得装置
【図１】
2009271808.tif 000003
【図２】
2009271808.tif 000004
【図３】
2009271808.tif 000005
【図４】
2009271808.tif 000006
【図５】
2009271808.tif 000007
【図６】
2009271808.tif 000008
【図７】
2009271808.tif 000009
【図９】
2009271808.tif 000010
【図１１】
2009271808.tif 000011
【図１２】
2009271808.tif 000012
【図１３】
2009271808.tif 000013
【図１４】
2009271808.tif 000014
【図１５】
2009271808.tif 000015
【図１６】
2009271808.tif 000016
【図１７】
2009271808.tif 000017
【図８】
2009271808.tif 000018
【図１０】
2009271808.tif 000019